(57)【要約】【課題】  複数枚の用紙や書類を重ねた紙束を裏板の片側部へ向けて押し込むだけで紙束のめくり側端部が紙束下面側からみて傾斜状態となり、用紙のめくりが容易、迅速になされるようにした紙束ファイリング用具を提供する。【解決手段】  この紙束ファイリング用具は、裏板１と、表板２と、片側縁の裏板内面に設けられ、かつ該裏板内面に対して該片側縁と反対側の側縁に向って開口するように傾斜部を有する駒部材５と、裏板と駒部材との間に挟み込まれた紙束の片側部の紙面を裏板に対して押え付ける紙束固定装置２０とを有し、駒部材の傾斜部は紙束を押圧するように裏板に向って凸わん曲状に傾斜した弾性傾斜舌片８を有し、この弾性傾斜舌片の紙束押圧面に摩擦付与材９が付着され、紙束３の側部が弾性傾斜舌片８の傾斜面によって傾斜状態に挟み込まれ、これによって紙束のめくり側の側部３ａが紙束の裏側からみて傾斜状態になるようにした。【選択図】  図１
2016132117.tif 000002
【特許請求の範囲】
【請求項１】
裏板と、前記裏板の片側縁に開閉自在に連接された表板と、前記片側縁の裏板内面に設けられ、かつ該裏板内面に対して該片側縁と反対側の側縁に向って開口するように傾斜部を有する傾斜駒部材と、前記裏板と前記傾斜駒部材との間に挟み込まれた紙束の片側部の紙面を前記裏板に対して押え付ける紙束固定装置とを有し、前記傾斜駒部材の前記傾斜部は前記紙束を押圧するように前記裏板に向って凸わん曲状に傾斜した弾性傾斜舌片を有し、前記弾性傾斜舌片の紙束押圧面に摩擦付与材が付着され、前記紙束の側部が前記弾性傾斜舌片の傾斜面によって傾斜状態に挟み込まれることを特徴とする紙束ファイリング用具。
【発明の詳細な説明】
【技術分野】
【０００１】
本発明は、束になった用紙や書類を保持する紙束ファイリング用具に関し、特に、開閉可能な表板と裏板を有し、前記裏板に保持された紙束を１枚づつ手でめくっていくのを容易にした紙束ファイリング用具に関する。
【背景技術】
【０００２】
同じサイズの用紙の束を開閉自在の表板と裏板との間に挟み込んでファイルするファイリング用具は既に各種タイプのものが市販されている。この中で大きく分類すると、紙あるいは紙束の片側部近傍に一対の孔をあけ、裏板に設けた帯片やワイヤを紙束の前記孔に挿通し、紙束の表面側から前記帯片やワイヤを適当な留め金を使って固定する形態のものと、紙あるいは紙束自体には何ら穿孔等の加工を施さずに、そのまま表裏板の間に挟み込んで裏板に設けた押え部材で紙束を表裏板から離脱しないように押え付ける形態のものとがある。
【０００３】
例えば特許文献１のファイリング用具では、紙束の端部近傍にあけた孔に裏板から延びた長尺の保持部材を挿通し、前記保持部材の先端側を表板の２重折返し部の間に出入スライド可能に挿入するようにし、裏板に対して表板を開成したとき、紙束の表面がフラットに拡がるようにして紙束の紙面にメモを記入したり、記載内容を読んだりするのを容易にしている。
また、特許文献２には、可撓性シートの裏板の書類綴じ側と反対側（開き側）の側辺部に切込みを入れて舌片を形成し、収容した書類の開き側の端部をこの舌片と裏板との間に挟み込んで書類の保持を確保した簡単ファイルが開示されている。
【先行技術文献】
【特許文献】
【０００４】
【特許文献１】特開２０００−３３５１６１号公報
【特許文献２】特開２０１０−２６９５２９号公報
【発明の概要】
【発明が解決しようとする課題】
【０００５】
同じサイズの用紙を例えば数１０枚重ねた紙束を裏板と表板との間に挟み、かつ紙束の片側部付近を裏板に固定した形態の紙束フアイリング用具では、紙束を構成する用紙を上から１枚づつめくるのが難儀となることがある。例えば、紙束の側部が不揃いになっているような場合、あるいは紙束の上面に対し立直に揃えられた側部となっているような場合には、紙束を１枚づつめくったり、所望の頁をすばやく開くのが難しくなる。この傾向は滑らかな紙面の用紙が密着状態で重ねられたような紙束や書類では特に頁めくりが困難となる。このような場合、その都度すべり止めの指サックを用いたりするのは不便であり、また、指先に軽く唾を付けて頁めくりをするのは不衛生である。
【０００６】
紙束のめくり側端部を紙束の裏側からみて傾斜状になるように揃えられている場合は、頁めくりが容易となる。しかし、紙束をファイリングする前に、両手を使って紙束をしごくようにさばいて紙束端部を傾斜状に揃えてから表裏板の間に挟むのは手数がかかり、煩雑な作業となる。特許文献１のファイリング用具は、おもて表紙を開いたとき、紙束の孔を貫通した保持部材がおもて表紙と連動して開き側へ倒れ、これによって紙束（ファイリング用紙）の側部が傾斜状態となるものの、この場合は紙束のめくり側の上面が傾斜状態となり、用紙めくりを容易にするものではない。特許文献２では書類のめくり側の端部を裏板の舌片では挟み付ける構成であり、書類の頁めくりに関係するものではない。
【０００７】
本発明は、複数枚の用紙や書類を重ねた紙束を裏板の片側部へ向けて押し込むだけで紙束のめくり側端部が紙束下面側からみて傾斜状態となり、用紙のめくりが容易、迅速になされるようにした紙束ファイリング用具を提供することを目的とする。
【０００８】
本発明はまた、裏板と表板との間に差し込んだ紙束の保持、固定がワンタッチで簡単になし得、しかも紙束の紙めくりが容易になされる紙束ファイリング用具を提供することを目的とする。
【課題を解決するための手段】
【０００９】
本発明に係る紙束ファイリング用具は、裏板と、前記裏板の片側縁に開閉自在に連接された表板と、前記片側縁の裏板内面に設けられ、かつ該裏板内面に対して該片側縁と反対側の側縁に向って開口するように傾斜部を有する傾斜駒部材と、前記裏板と前記傾斜駒部材との間に挟み込まれた紙束の片側部の紙面を前記裏板に対して押え付ける紙束固定装置とを有し、前記傾斜駒部材の前記傾斜部は前記紙束を押圧するように前記裏板に向って凸わん曲状に傾斜した弾性傾斜舌片を有し、前記弾性傾斜舌片の紙束押圧面に摩擦付与材が付着され、前記紙束の側部が前記弾性傾斜舌片の傾斜面によって傾斜状態に挟み込まれる構成としている。  
【発明の効果】
【００１０】
本発明によれば、裏板と表板とを有する紙束ファイリング用具において、前記裏板に保持された紙束の紙めくりが容易となり、所望の頁を開くのも簡単になし得る。裏板と表板との間に保持された紙束の固定およびその固定解除もワンタッチで簡単になし得る。
【図面の簡単な説明】
【００１１】
【図１】本発明の実施例に係る紙束ファイリング用具を、表板を開いた状態で示した平面図である。
【図２】図１に示す紙束ファイリング用具で紙束を保持した状態を紙束縦方向からみた部分的な側面図である。
【図３】本発明のファイリング用具に用いられる傾斜駒部材を示した図である。
【図４】本発明の実施例に係る傾斜駒部材の繋ぎ板を裏板に装着する他の実施例を示した平面図である。
【図５】本発明の実施例に係る一対の傾斜駒部材を裏板に装着した状態で示した平面図である。
【図６】本発明のファイリング用具に適用される紙束固定装置の平面図である。
【図７】紙束固定前の状態における紙束固定装置の平面図である。
【図８】紙束固定装置の操作腕部および舌片押え部材の側面図である。
【図９】紙束固定装置で裏板に装填された紙束を固定したときの状態を示す平面図である。
【発明を実施するための形態】
【００１２】
次に、本発明を、図面を参照しつつ実施例について説明する。
図１を参照すれば、実施例の紙束ファイリング用具１０は裏板１と、裏板１に対して開閉可能な表板２とを有し、裏板上に紙束３を保持した状態で表板２を紙束３上に重ねることで紙束３のファイリングがなされる。硬質プラスチック製あるいは硬質厚紙製の裏板１は、保持される用紙のサイズ、例えばＡ４サイズの用紙の大きさを若干超える大きさに形成され、この裏板１の片側縁１ａに、該裏板１と同サイズの表板２が該裏板に対して折りたたみ自在に連接されている。表板２も裏板１と同材質の硬質プラスチックあるいは硬質厚紙で形成される。なお、図４に例示するように、裏板１と表板２との連結部に背板に相当する同材質の細巾（高々１ｃｍ〜３ｃｍ程度）の部材が連接されてもよい。この背板１８の両側縁は裏板１および表板２に対して折り曲げ可能である。背板１８の介在によって挟み込まれる紙束の分量が多くて紙束の厚みが大となっても、紙束は有効に裏板１と表板２との間に保持される。
また、図１では裏板上の紙束３が紙束固定装置２０によって固定された状態を示しているが、この固定装置２０についてはさらに後述する。
【００１３】
裏板１の表板側片側部１ａに一対の上下方向に離隔した傾斜駒部材５が取り付けられている。この実施例では、図１，図２および図５に明示されるように、傾斜駒部材５は、裏板１の内面（表板２を裏板１上に折り重ねたときの表板２に対面する裏板内面）に固着される帯状の繋ぎ板６と、この繋ぎ板６の一側部に連結され、かつ繋ぎ板６に対して或る角度で傾斜した傾斜枠部材７と、傾斜枠部材７の先端に連接され、かつ傾斜枠部材７の傾斜に概ね沿った形態で、裏板１へ向って凸わん曲状に傾斜してほぼ枠部材基端近くまで伸長するバネ性のある弾性傾斜舌片８とを有している。弾性傾斜舌片８の裏側、つまり裏板１に対面する面には適当な摩擦付与シート９（図３（ｂ））が貼着されている。
【００１４】
図３は傾斜駒部材５を示した図であり、同図（ａ）は紙束の縦方向からみた側面図、同図（ｂ）は（ａ）の矢視Ｆからみた右側面図、同図（ｃ）は傾斜駒部材５の平面図である。これらの図を参照すれば、傾斜枠部材５は裏板１の表板連接部とは反対側の裏板側縁（裏板の右側縁）へ向って開口するように傾斜し、その傾斜角θは、図示実施例では、前記裏板の板面に対して略２７°（１例）の角度に設定されている。なお、この傾斜角度は適用する紙束の紙種や想定する紙束の量に対応した仕様のファイリング用具によっても値が変わり、２５°〜４５°、より好ましくは２６°〜３２°程度の範囲で適切に選定される。また、弾性傾斜舌片８もそのほぼ中途部が前記裏板に向って凸状にわん曲しているものの、図２および図３（ａ）の側面視に示されるように全体としては用紙めくり側の前記裏板側縁へ向って口を開くように傾斜している。なお、傾斜枠部材７および弾性傾斜舌片８は同材質（プラスチック材）で一体の板部材から金型を用いた打抜きプレス加工で製作されるが、弾性傾斜舌片８の部分は傾斜枠部材７よりも薄肉に形成され、これによって或る程度のバネ性を有するようになっている。
【００１５】
このような傾斜駒部材５は裏板１の縦方向上下に２個設けられる。好ましくは、前記駒部材５は裏板１の横中心線に対し対称に１個づつ設けられる。繋ぎ板６は２個の傾斜駒部材５，５を連結し、かつ繋ぎ板６の２〜３箇所を鋲打ち等公知の止め金手段あるいは接着剤等で裏板１に固着することにより、２個の傾斜駒部材５，５は簡単に裏板１に固定される。
【００１６】
複数枚の用紙を束ねた紙束３は最初に上下左右の端部を揃えた状態で裏板１上に載せるとともに、紙束全体を裏板１の板面に沿ってその片側部を傾斜駒部材５の開口部から裏板１と弾性傾斜舌片８との間に差し込む。前述の如く傾斜舌片８の裏面は摩擦付与の形態となっているため、紙束３の片側部（左側部）を傾斜駒部材５の下側へ押し込むことにより、この部分の紙束側部は傾斜枠部材７あるいは弾性傾斜舌片８の傾斜面に沿って傾斜状にずれる形態となる。その結果、図２に明示する如く、紙束３の反対側の側部３ａは紙束３の裏側からみて傾斜状になる。この状態で紙束３のめくり側の側部３ａは鋭角に尖った形態となるので、この尖った部分で紙束３を上から１枚づつめくっていくのが容易となる。
【００１７】
図４は傾斜駒部材の繋ぎ板および裏板への駒部材の装着例を示した部分的な平面図であり、同図（ａ）は裏板の内面からみた駒部材および繋ぎ板の部分的な平面図、同図（ｂ）は繋ぎ板を裏板に装着したときの裏板の裏面、つまり裏側の外面からみた部分的な平面図である。この例では、傾斜駒部材５を固着した繋ぎ板６の両端（図では片端のみを示す）に該繋ぎ板の長手方向に対し直角方向にのびる折返し固定片６ｂが形成されている。裏板１には折返し固定片６ｂの根元部６ｃに対応する位置に切溝１ｂが形成され、繋ぎ板６を裏板１に装着する際に、折返し固定片６ｂを裏板１の前記切溝１ｂに差し込み、その根元部分で裏板１の裏面で折返し固定片６ｂを反対側へ折り返すようにしている。これにより、使用中に繋ぎ板６の前縁６ａ（図４（ａ））が反転するようにめくられることがなく、繋ぎ板６の確実な固定が確保される。
【００１８】
また、例えば図１あるいは図２に示すＧの位置で裏板１の裏面に該裏板の縦方向にのびる折り目を形成し、この折り目の位置で裏板１の端部を裏側へ折りたたみ得るようにすることもできる。Ａ４サイズの用紙に対するファイリング用具では前記Ｇ位置はおよそ端部から３ｃｍ程度の箇所とするのがよい。これによって紙束の枚数が少ないときにも、裏板１の端部を前記Ｇの位置で裏側へ折りたたむことで紙めくりがさらに容易になる。裏板がプラスチック板の場合、この折り目は極く浅いハーフカットの切り目を裏板の面に形成することでも得られる。
【００１９】
このようにして紙束は左右の側部が傾斜した状態で裏板と表板との間に保持される。紙束はその片側部が傾斜駒部材に挟まれ、かつ弾性傾斜舌片によって上方から押圧されるが、このままでは傾斜駒部材による紙束の保持力は弱く、紙束は裏板と表板の間から離脱してしまうおそれがある。この紙束の保持を確実にするために本発明では、傾斜駒部材とは別に紙束固定装置が裏板に設けられている。  図６〜図９を参照すれば、裏板１と表板２との連接部の上方部位で該裏板の片側部に隣接して、表板２にコ字状ないし台形状の切込み１１が形成され、この切込み１１によって生じる紙押え舌片１２が裏板１の前記片側部に対して折りたたみ可能に形成される。好ましくは、紙押え舌片１２の内面には薄い摩擦付与シート１３が貼着される。なお、裏板１と表板２との間に或る量の紙束に対応するための背板が形成される場合は、紙押え舌片形成用の切込みは背板、あるいは背板から一部表板にかけて形成される。
【００２０】
紙束固定装置２０の紙押え舌片１２の上方位置、例えば裏板１の上端近傍位置で、かつ裏板１の外面に板状の操作腕部１４がハトメ軸支手段などにより枢着されている。操作腕部１４の片側部には、該操作腕部に対して空隙１５（図８）を有して該腕部１４の他側部近くまで延在した舌片押え部材１６が固着されている。舌片押え部材１６は、表板１６の切込み１１によって生じる表板２の開口部１７より若干小さめに形成されている。
【００２１】
図９を参照して、紙押え舌片１２を裏板上の紙束３の上面へ折りたたんだ状態（図７）で、操作腕部１４を手で操作して該操作腕部が裏板の外面（裏面）に重なるように旋回させたとき、操作腕部１４の舌片押え部材１６が表板２の前記開口部１７を通過して紙押え舌片１２の上面に重なる。つまり、裏板１と折りたたんだ紙押え舌片１２とが、操作腕部１４と舌片押え部材１６との間の空隙１５に入り込み、裏板１と紙押え舌片１２との間に挿入されている紙束３が紙押え舌片１２を介して舌片押え部材１６により裏板上に押し付けられる形態となり、これによって裏板上の紙束３の固定がなされる。
【００２２】
上述のような構成をもつファイリング用具によって或る厚みの紙束をファイリングする場合、まず、上下左右に側部を揃えた紙束３を裏板１上に載せて裏板１と一対の傾斜駒部材５との間に挿入する。紙束３は傾斜駒部材５のＶ形開口から該駒部材の奥端まで差し込む。このとき、紙束３の挿入側部は弾性傾斜舌片８の傾斜面に圧接されて該傾斜面の傾斜形状が転写された形態に傾斜して挿入される。これに対応して紙束３の挿入側と反対側の紙束側部は紙束３の下側からみて傾斜した形態となる（図２）。この状態で裏板上端近くの紙押え舌片１２を紙束３の上面側へ倒し、さらに紙束固定装置２０の操作腕部１４を前述の如く旋回させて紙束上の紙押え舌片１２と裏板１とを操作腕部１４と舌片押え部材１６との間の空隙１５内に挟み込むことで、紙束３が紙押え舌片１２を介して舌片押え部材１６によって固定される。紙束の固定を解除してファイリング用具から紙束を取り出すには、操作腕部１４を逆の方向に旋回させることで舌片押え部材１６が紙押え舌片１２から離脱する。このように実施例の紙束固定装置はワンタッチで簡単に紙束の固定および固定解除が可能である。
【００２３】
このようにして裏板上に固定された紙束は、紙束の固定側と反対側の端部が紙束の下側からみて傾斜状にずれた形態となるため、紙束を１枚づつ上からめくっていくのが容易となり、各頁密着した状態で重ねられた紙束であっても、所望の頁を開くのが極めて容易かつ迅速に行い得る。なお、本発明における紙束固定装置は必ずしも上述の実施例のような紙押え舌片、旋回可能な操作腕部、該腕部に設けた舌片押え部材の構造のものに限定されるものではなく、裏板と表板との間に挟み込まれた紙束を外れないように固定でき、かつ必要に応じて紙束を取り出せるように固定を解除できる機能をもつものであればよい。
【符号の説明】
【００２４】
１  裏板
２  表板
３  紙束
３ａ  紙束のめくり側の側部
５  傾斜駒部材
６  繋ぎ板
７  傾斜枠部材
８  弾性傾斜舌片
９  摩擦付与シート
１０  紙束ファイリング用具
１１  表板の切込み
１２  紙押え舌片
１４  操作腕部
１５  空隙
１６  舌片押え部材
１７  開口部
２０  紙束固定装置
【図１】
2016132117.tif 000003
【図２】
2016132117.tif 000004
【図３】
2016132117.tif 000005
【図４】
2016132117.tif 000006
【図５】
2016132117.tif 000007
【図６】
2016132117.tif 000008
【図７】
2016132117.tif 000009
【図８】
2016132117.tif 000010
【図９】
2016132117.tif 000011